(57)【要約】【課題】水底上に存在する段差部をヘッドが乗り越える際にヘッドの転倒を抑制しうる釣り用仕掛けを提供すること。【解決手段】釣り用仕掛け１は、前後方向に貫通したライン挿通孔を有するヘッド２と、ヘッド２とは別体に形成されるとともにフック１１を有する遊動体１０とを具備する。遊動体１０は、ライン挿通孔に挿通されたライン２０の先端部にヘッド２に対して分離可能に接続される。ヘッド２は、水底４０に接地する接地面６と、接地面６よりも前側に形成されるとともに接地面６から前方斜め上向きに傾斜乃至湾曲した案内面７とを備える。案内面７は、ヘッド２がライン２０により前方へ引っ張られて水底４０上に存在する段差部４１を乗り越える時にヘッド２を段差部４１の上側へ案内するものである。ライン挿通孔の前端開口が案内面７の内側領域に設けられている。【選択図】図７Ｂ
0003225134.tif 000002
【実用新案登録請求の範囲】
【請求項１】
平面視において前後方向に貫通したライン挿通孔を有するヘッドと、前記ヘッドとは別体に形成されるとともにフックを有する遊動体とを具備し、
前記遊動体は、前記ヘッドの前記ライン挿通孔に長さ方向に移動可能に挿通されたラインの先端部に前記ヘッドに対して分離可能に接続され、
水底上に着地した前記ヘッドが前記ラインにより前方へ引っ張られて水底上を前方へ移動する姿勢を、前記ヘッドの移動姿勢とするとき、
前記ヘッドの移動姿勢において、前記ヘッドは、水底に接地する接地面と、前記接地面よりも前側に形成されるとともに前記接地面から前方斜め上向きに傾斜乃至湾曲した案内面とを備え、
前記案内面は、移動姿勢の前記ヘッドが前記ラインにより前方へ引っ張られて水底上に存在する段差部を乗り越える時に前記ヘッドを前記段差部の上側へ案内するものであり、
前記ライン挿通孔の前端開口が前記案内面の内側領域に設けられている、釣り用仕掛け。
【請求項２】
前記ヘッドの移動姿勢において、前記ヘッドの下部にその上部よりも比重が高い高比重部が設けられている請求項１記載の釣り用仕掛け。
【請求項３】
水底上に着地したヘッドの着地姿勢において、前記ライン挿通孔はその前端から後端へと進む方向において後方斜め上向きに傾斜した状態に前記ヘッドに設けられている請求項１又は２記載の釣り用仕掛け。
【請求項４】
前記ヘッドの内部における前記ライン挿通孔の長さ方向の少なくとも一部に、前記ラインとの摺動時の摩擦力を低減する低摩擦パイプがその中空孔を前記ライン挿通孔と連通した状態に設けられている請求項１〜３のいずれかに記載の釣り用仕掛け。
【請求項５】
前記遊動体は、前記フックと複数の集魚部材と集束部材とを有し、
前記複数の集魚部材は、前記ヘッドの前記ライン挿通孔に挿通された前記ラインに前記集束部材により集束固定されており、
前記ヘッドの前記ライン挿通孔の長さ方向における後端開口側の部分に、前記集束部材の少なくとも前端部が嵌合される嵌合凹部が設けられている請求項１〜４のいずれかに記載の釣り用仕掛け。
【考案の詳細な説明】
【技術分野】
【０００１】
本考案は釣り用仕掛けに関する。
【背景技術】
【０００２】
釣り用仕掛けには様々な種類が存在し、その一つに図１３に示すようなジグヘッド１０１が知られている（例えば特許文献１、２参照）。
【０００３】
ジグヘッド１０１は、フック１１０のシャンク部１１１の基端部１１１ａにヘッド部（シンカー）１０２が一体に固着されたものであり、ヘッド部１０２のテール部１０２ａには一般にスカート、ネクタイ等の集魚部材（図示せず）が取り付けられて用いられる。さらに、ヘッド部１０２の上面の前端部にはラインアイ１２１が上方突出状に設けられており、ライン１２０はこのラインアイ１２１に結着（接続）される。
【０００４】
ここで、同図に示すように、水中にキャストされたジグヘッド１０１のヘッド部１０２が水底１４０上に着地し且つフック１１０のティップ部１１２がそのシャンク部１１１よりも上側に配置された状態（姿勢）を説明の便宜上、ジグヘッド１０１の着地姿勢と定義する。ジグヘッド１０１が着地姿勢のとき、フック１１０のティップ部１１２がシャンク部１１１よりも上側に配置されているので、フック１１０のティップ部１１２が魚にフッキングし易い。そのため、ジグヘッド１０１は通常この着地姿勢で使用される。
【０００５】
ジグヘッド１０１が着地姿勢のとき釣り人がライン１２０を巻き取ると、ヘッド部１０２はライン１２０により前方へ引っ張られる。すると、ジグヘッド１０１が着地姿勢のままでヘッド部１０２が水底１４０上を引きずられるように前方へ移動する。このとき、同図に示すように、水底１４０上におけるジグヘッド１０１の前方に障害物（例：岩）１４２などからなる段差部１４１が存在している場合、水底１４０上を移動しているヘッド部１０２は段差部１４１を乗り越えようとする。
【０００６】
しかしながら、ラインアイ１２１がヘッド部１０２の上面の前端部に形成されているので、ヘッド部１０２が段差部１４１を乗り越える時にジグヘッド１０１の姿勢が不安定になり、その結果、ジグヘッド１０１が左側又は右側に転倒することが多かった。このようにジグヘッド１０１が転倒すると、フック１１０のティップ部１１２が段差部１４１に引っ掛かり、そのため、段差部１４１からフック１１０を外すのに手間を要したりライン１２０が切れてジグヘッド１０１が失われたりするという問題があった。
【０００７】
ところで、釣り用仕掛けとして、ジグヘッド１０１以外にも、例えば鯛カブラのように、フックを有する遊動体がヘッドに対して分離可能に設けられた遊動式の仕掛けが知られている（例えば特許文献３−５参照）。
【先行技術文献】
【特許文献】
【０００８】
【特許文献１】特開平１１−２８９９２号公報
【特許文献２】特許第４７７８４５４号公報
【特許文献３】特開２０１５−３９３５２号公報（特許第６２９６５９３号公報）
【特許文献４】特開２０１７−１２１５４号公報（特許第６５３４３６０号公報）
【特許文献５】実用新案登録第３２０５９０３号公報
【考案の概要】
【考案が解決しようとする課題】
【０００９】
上述した遊動式仕掛けでは、フックにフッキングした魚が逃げようとしてその頭を振ると遊動体がヘッドに対して分離するので、フックが魚から外れにくい利点があるが、やはり、上述したジグヘッド１０１のように、水底１４０上に存在する段差部１４１をヘッドが乗り越える際にヘッドが左側又は右側に転倒し易いという難点があった。
【００１０】
本考案は、上述した技術背景に鑑みてなされたもので、その主な目的は、水底上に存在する段差部をヘッドが乗り越える際にヘッドの転倒を抑制しうる釣り用仕掛けを提供することにある。
【課題を解決するための手段】
【００１１】
本考案は以下の手段を提供する。
【００１２】
１）  平面視において前後方向に貫通したライン挿通孔を有するヘッドと、前記ヘッドとは別体に形成されるとともにフックを有する遊動体とを具備し、
前記遊動体は、前記ヘッドの前記ライン挿通孔に長さ方向に移動可能に挿通されたラインの先端部に前記ヘッドに対して分離可能に接続され、
水底上に着地した前記ヘッドが前記ラインにより前方へ引っ張られて水底上を前方へ移動する姿勢を、前記ヘッドの移動姿勢とするとき、
前記ヘッドの移動姿勢において、前記ヘッドは、水底に接地する接地面と、前記接地面よりも前側に形成されるとともに前記接地面から前方斜め上向きに傾斜乃至湾曲した案内面とを備え、
前記案内面は、移動姿勢の前記ヘッドが前記ラインにより前方へ引っ張られて水底上に存在する段差部を乗り越える時に前記ヘッドを前記段差部の上側へ案内するものであり、
前記ライン挿通孔の前端開口が前記案内面の内側領域に設けられている、釣り用仕掛け。
【００１３】
２）  前記ヘッドの移動姿勢において、前記ヘッドの下部にその上部よりも比重が高い高比重部が設けられている前項１記載の釣り用仕掛け。
【００１４】
３）  水底上に着地したヘッドの着地姿勢において、前記ライン挿通孔はその前端から後端へと進む方向において後方斜め上向きに傾斜した状態に前記ヘッドに設けられている前項１又は２記載の釣り用仕掛け。
【００１５】
４）  前記ヘッドの内部における前記ライン挿通孔の長さ方向の少なくとも一部に、前記ラインとの摺動時の摩擦力を低減する低摩擦パイプがその中空孔を前記ライン挿通孔と連通した状態に設けられている前項１〜３のいずれかに記載の釣り用仕掛け。
【００１６】
５）  前記遊動体は、前記フックと複数の集魚部材と集束部材とを有し、
前記複数の集魚部材は、前記ヘッドの前記ライン挿通孔に挿通された前記ラインに前記集束部材により集束固定されており、
前記ヘッドの前記ライン挿通孔の長さ方向における後端開口側の部分に、前記集束部材の少なくとも前端部が嵌合される嵌合凹部が設けられている前項１〜４のいずれかに記載の釣り用仕掛け。
【考案の効果】
【００１７】
本考案の効果は以下のとおりである。
【００１８】
前項１では、釣り用仕掛けのヘッドの案内面は接地面から前方斜め上向きに傾斜乃至湾曲したものであり、この案内面の内側領域にヘッドのライン挿通孔の前端開口が設けられていることにより、ヘッドが段差部を乗り越える際にヘッドが案内面によって段差部の上側へ案内される。そのため、ヘッドの転倒が抑制されてフックが段差部に引っ掛かりにくくすることができる。
【００１９】
前項２では、ヘッドの下部に高比重部が設けられることにより、このヘッドの重心位置はヘッドの下部に高比重部が設けられていないものよりも下側の位置にあるので、ヘッドが段差部を乗り越える際においてヘッドの転倒を確実に抑制できる。さらに、水中にキャストされたヘッドの沈降時の姿勢がヘッドの移動姿勢に近くなるため、水底に着地したヘッドの姿勢を確実に移動姿勢にすることができる。
【００２０】
前項３では、ヘッドのライン挿通孔が後方斜め上向きに傾斜した状態にヘッドに設けられることにより、フックが水底に接触しにくくなる。そのため、フックの根掛かりを抑制できる。
【００２１】
前項４では、ヘッドのライン挿通孔に挿通されたラインのライン挿通孔での滑りをよくすることができる。
【００２２】
前項５では、ヘッドのライン挿通孔の後端開口側の部分に嵌合凹部が設けられていることにより、ヘッドの前方への移動時に集束部材の少なくとも前端部が嵌合凹部に嵌合されて遊動体がヘッドに固定される。そのため、フックが水底に更に接触しにくくなり、フックの根掛かりを更に抑制できる。
【図面の簡単な説明】
【００２３】
【図１】図１は、本考案の第１実施形態に係る釣り用仕掛けのヘッドを移動姿勢で示す側面断面図である。
【図２】図２は、同仕掛けのヘッドを同ヘッドから遊動体が分離した状態で示す側面断面図である。
【図３】図３は同仕掛けの分解図である。
【図４】図４は同仕掛けのヘッドを前方斜め上側から見た斜視図である。
【図５】図５は同ヘッドを前方斜め下側から見た斜視図である。
【図６Ａ】図６Ａは同ヘッドの側面図である。
【図６Ｂ】図６Ｂは同ヘッドの側面断面図である。
【図７Ａ】図７Ａは同ヘッドが段差部を乗り越える直前の状態を示す側面図である。
【図７Ｂ】図７Ｂは同ヘッドが段差部を乗り越える途中の状態を示す側面図である。
【図７Ｃ】図７Ｃは同ヘッドが段差部を乗り越えた後の状態を示す側面図である。
【図８】図８は、本考案の第２実施形態に係る釣り用仕掛けのヘッドを集束部材と一緒に前方斜め上側から見た斜視図である。
【図９Ａ】図９Ａは同ヘッドの側面図である。
【図９Ｂ】図９Ｂは同ヘッドの側面断面図である。
【図１０】図１０は同ヘッドの底面図である。
【図１１】図１１は同ヘッドの正面図である。
【図１２】図１２は、本考案の第３実施形態に係る釣り用仕掛けのヘッドを同ヘッドから遊動体が分離した状態で示す側面断面図である。
【図１３】図１３は、従来の釣り用仕掛けとしてのジグヘッドが段差部を乗り越える前の状態を示す側面図である。
【考案を実施するための形態】
【００２４】
本考案の幾つかの実施形態について図面を参照して以下に説明する。
【００２５】
本考案の第１実施形態に係る釣り用仕掛け１は、図１及び２に示すように、鯛（例：チヌ）などの魚を釣るためのものであり、ヘッド２、遊動体１０などを具備している。
【００２６】
ヘッド２は、図４〜６Ｂに示すように、擬似餌の少なくとも一部を構成するものであり、本第１実施形態ではヘッド２は擬似餌としてのカニの頭胸甲部を概略的に模した形状のものである。ヘッド２の詳しい形状については後述する。
【００２７】
ヘッド２は、平面視において前後方向に貫通したライン挿通孔３を有している。このライン挿通孔３にライン２０がその長さ方向に移動可能に挿通される。
【００２８】
ここで、本明細書及び特許請求の範囲では、図１に示すように、水平で平坦な水底（海底を含む）４０上に着地したヘッド２がライン挿通孔３に挿通されたライン２０により引っ張られて水底４０上を移動する姿勢を、ヘッド２の移動姿勢とし、このときのヘッド２の移動方向をヘッド２の前方向、その反対方向をヘッド２の後方向と定義する。さらに、ヘッド２の上下左右方向についてはこの移動姿勢のヘッド２を基準にして定義される。
【００２９】
なお、図６Ａ及び６Ｂでは、ヘッド２は移動姿勢で図示されており、更にヘッド２の移動姿勢を理解し易くするため水底４０が仮想線（二点鎖線）で示されている。後述する図９Ａ及び９Ｂでも同様である。
【００３０】
水底４０上に着地したヘッド２の着地姿勢において、ライン挿通孔３はその前端から後端へと進む方向において後方斜め上向きに傾斜した状態にヘッド２に設けられている。詳述すると、図６Ｂに示すように、ヘッド２の移動姿勢において、ライン挿通孔３はその前端から後端へと進む方向において後方斜め上向きに傾斜した状態にヘッド２に設けられている。
【００３１】
さらに、ヘッド２の内部におけるライン挿通孔３の長さ方向中間部には、ライン２０との摺動時の摩擦力を低減する低摩擦パイプ５がその中空孔５ａをライン挿通孔３と連通した状態に且つヘッド２に対して位置固定状態に設けられている。したがって、ライン挿通孔３の長さ方向の一部が低摩擦パイプ５の中空孔５ａで構成されている。
【００３２】
低摩擦パイプ５は、ポリテトラフルオロエチレン（ＰＴＦＥ）、シリコーン等からなるものであり、低摩擦パイプ５の内周面の摩擦係数（例：動摩擦係数）はライン挿通孔３の内周面の他の部分の摩擦係数（例：動摩擦係数）よりも小さくなっている。また、低摩擦パイプ５の内周面はライン挿通孔３の内周面の他の部分も若干内側に位置しており、これにより、ライン挿通孔３に挿通されたライン２０が低摩擦パイプ５の内周面に確実に接触するようになっている。
【００３３】
さらに、ヘッド２の下部にはその上部よりも比重が高い高比重部８が局部的に設けられている。高比重部８は鉛、亜鉛等からなる。
【００３４】
ここで、ヘッド２における上述した低摩擦パイプ５及び高比重部８を除いた部分を、説明の便宜上「ヘッド本体２ａ」という。
【００３５】
ヘッド本体２ａは、低摩擦パイプ５及び高比重部８の材料とは異なる材料からなり、具体的にはＡＢＳ樹脂、発泡ウレタン等の樹脂からなる。
【００３６】
ヘッド本体２ａは、ライン挿通孔３の中心軸線（図６Ｂ中に一点鎖線で示す）３ｃを含む鉛直面でヘッド本体２ａを左右に分割した二つの分割片が接着剤等で一体化されることで形成されたものである。各分割片の分割面には低摩擦パイプ５と高比重部８がそれぞれ嵌合する凹所が形成されており、両分割片の間に低摩擦パイプ５と高比重部８がそれぞれ対応する凹所に嵌合されるように挟み込まれて両分割片が接着剤等により一体化されることにより、低摩擦パイプ５と高比重部８がヘッド２の所定位置に固定されて設けられている。
【００３７】
なお本考案では、ヘッド２は上述の方法で製造されたものであることに限定されるものではなく、例えばインサート成形により製造されたものであってもよいし、その他の方法で製造されたものであってもよい。
【００３８】
図１〜３に示すように、遊動体１０は、略Ｊ字状のフック１１、複数の集魚部材１２、集束部材１３などを有している。
【００３９】
集魚部材１２は、シリコンラバー等からなる弾性を有する柔軟な線状乃至細帯状のものであり、具体的にはスカート、ネクタイ（図示せず）等である。
【００４０】
フック１１は、ライン２０の先端側の部分を構成するストラップ紐２１（太線で示す）の先端（後端）に結着（接続）されている。
【００４１】
集束部材１３は、図３に示すように、フック１１側（即ち集束部材１３の後端側）が開口した樹脂製の略有底円筒状のものであり、その底部の中心部にライン挿通小孔１３ｂが穿設されている。
【００４２】
ライン２０は、釣り竿などから延びた道糸等のライン本体２２と、上述したストラップ紐２１とからなる。
【００４３】
ストラップ紐２１はその先端に上述したようにフック１１が結着（接続）されている。
【００４４】
ストラップ紐２１の基端側に形成されたループ部２１ａの基端部は、ヘッド２のライン挿通孔３と集束部材１３のライン挿通小孔１３ｂとに順次挿通されたライン本体２２の先端に結着（接続）されており、これにより、ライン本体２２とストラップ紐２１とからなるライン２０が構成されている。
【００４５】
また、ストラップ紐２１のループ部２１ａの内側には複数の集魚部材１２がその長さ方向中間部まで差し入れられており、そしてこの状態で集束部材１３がライン本体２２及びストラップ紐２１に沿ってフック１１側にスライド移動されることにより、ストラップ紐２１におけるループ部２１ａの結び部からなる係止部２１ｂに集束部材１３のライン挿通小孔１３ｂが集束部材１３の内側にて係止されている。これにより、図１及び２に示すように、複数の集魚部材１２がその長さ方向中間部にて集束部材１３によって二つ折り状にストラップ紐２１に集束固定されている。
【００４６】
さらに、複数の集魚部材１２の長さ方向中間部がその弾性復元力によって集束部材１３の内側に圧入された状態になっており、これにより、ストラップ紐２１の長さ方向における集束部材１３の位置が複数の集魚部材１２を集束固定した位置から不慮にずれないように保持されている。
【００４７】
また、ヘッド２のライン挿通孔３の長さ方向における後端開口３ｂ側の部分には、ヘッド２の移動姿勢において後方斜め上向きに開口した局部的に径大の嵌合凹部４が形成されている（図３、図６Ｂ参照）。この嵌合凹部４には、集束部材１３の少なくとも前端部として集束部材１３の前部１３ａが嵌合されて保持される。
【００４８】
すなわち、図２に示すように、ヘッド２に対して遊動体１０が分離して水中を遊動している状態でライン２０を前方へ引くと、集束部材１３がライン２０により前方へ引っ張られてその前部１３ａが嵌合凹部４に嵌合されて保持される。この嵌合状態では、図１に示すように、ストラップ紐２１がライン挿通孔３に挿通されるとともに、ストラップ紐２１の基端部側がライン挿通孔３の前端開口３ａから前方へ延出している。
【００４９】
次に、ヘッド２の形状について図４〜６Ｂを参照して以下に説明する。
【００５０】
ヘッド２の移動姿勢において、図４に示すように、ヘッド２の平面視形状は、ライン挿通孔３の中心軸線３ｃ（図６Ｂ参照）に対して左右対称であり且つヘッド２の前端部が左右方向に幅広でヘッド２の後端部が左右方向に幅狭な略三角形状乃至略台形状である。
【００５１】
さらに、ヘッド２の移動姿勢において、ヘッド２の正面視形状は、ライン挿通孔３の中心軸線３ｃを通る鉛直面に対して左右対称であり且つライン挿通孔３の前端開口３ａの上縁位置において左右方向に幅広で当該上縁位置から接地面６に向かう方向において漸次、左右方向に幅狭に形成されている。
【００５２】
ヘッド２の下部は、図１に示すように、ヘッド２の移動姿勢において、水底４０に接地する接地面６と、接地面６よりも前側に形成されるとともに接地面６から前方斜め上向きに湾曲した案内面７とを備えている。
【００５３】
図５に示すように、ヘッド２の接地面６は概ね一点鎖線で囲まれた領域であり、ヘッド２の案内面７は概ね二点鎖線で囲まれた領域である。
【００５４】
本第１実施形態では、図６Ａに示すように、ヘッド２の側面視において、ヘッド２の接地面６は緩やかに凸型に湾曲しており、ヘッド２の案内面７は前方斜め上向きに緩やかに凸型に湾曲している。さらに、接地面６と案内面７は互いに連接している。本第１実施形態では、接地面６と案内面７は互いに滑らかに連接している。
【００５５】
この案内面７は、後述するように、移動姿勢のヘッド２がライン２０により前方へ引っ張られて水底４０上に存在する段差部４１を乗り越える時にヘッド２を段差部４１の上側へ案内するものである（図７Ａ〜７Ｃ参照）。
【００５６】
なお本考案では、ヘッド２の案内面７は前方斜め上向きに湾曲しているものに限定されるものではなく、その他に前方斜め上向きに傾斜しているものであってもよい。
【００５７】
ヘッド２のライン挿通孔３の前端開口３ａは、案内面７の内側領域（即ち図５において二点鎖線で囲まれた領域）に設けられている。ライン挿通孔３の前端開口３ａが設けられた位置について詳述すると、案内面７の内側領域における案内面７の上端近傍である。
【００５８】
次に、本第１実施形態のヘッド２が水底４０上に存在する段差部４１を乗り越える場合におけるヘッド２の動作について、図７Ａ〜７Ｃを参照して以下に説明する。なお、段差部４１は例えば水底４０上に存在する岩などの障害物４２からなる。
【００５９】
水中へキャストされた仕掛け１のヘッド２が沈降して水底４０に着地し、その後、釣り人がライン２０を巻き取ると、図７Ａ中に仮想線（二点鎖線）で示すように、ヘッド２はライン２０により引っ張られてその接地面６が水底４０に接触した状態のままで水底４０上を前方へ移動する。同図中の矢印Ｐはライン２０によるヘッド２の引張方向を示している。
【００６０】
このとき、遊動体１０（の集束部材１３）はライン２０により引っ張られることで集束部材１３の前部１３ａがヘッド２の嵌合凹部４に嵌合保持され（図１参照）、これにより、遊動体１０がヘッド２と連結一体化されて遊動体１０の位置が固定される。
【００６１】
前方へ移動しているヘッド２の前方に段差部４１が存在している場合、ヘッド２は段差部４１を乗り越えようとする。このとき、ヘッド２の案内面７の内側領域にライン挿通孔３の前端開口３ａが設けられていることから、図７Ａ中に実線で示すように、ヘッド２の案内面７が段差部４１の上角縁部４１ａに当接する。
【００６２】
さらに、ライン２０によりヘッド２を前方へ引っ張ると、図７Ｂに示すように、ヘッド２はその案内面７が段差部４１の上角縁部４１ａ上を摺動しながら案内面７によって段差部４１の上側へ案内される。
【００６３】
そして、図７Ｃに示すように、ヘッド２が段差部４１を乗り越えたとき、ヘッド２の接地面６が段差部４１の上面４１ｂに接地する。
【００６４】
このように、ヘッド２が段差部４１を乗り越える際にヘッド２が案内面７によって段差部４１の上側へ案内されるので、ヘッド２の転倒が抑制される。そのため、フック１１が段差部４１に引っ掛かりにくくすることができる。
【００６５】
さらに、ヘッド２の下部に高比重部８が設けられているので、ヘッド２の重心位置はヘッド２の下部に高比重部８が設けられていないものよりも下側の位置にある。そのため、ヘッド２が段差部４１を乗り越える際にヘッド２の転倒を確実に抑制できる。しかも、ヘッド２の水中沈降時の姿勢がヘッド２の移動姿勢に近くなるため、水底４０に着地したヘッド２の姿勢を確実に移動姿勢にすることができる。
【００６６】
さらに、ヘッド２のライン挿通孔３が後方斜め上向きに傾斜した状態にヘッド２に設けられているので、フック１１が水底４０に接触しにくくなっており、そのため、フック１１の根掛かりを抑制できる。
【００６７】
さらに、ヘッド２のライン挿通孔３の後端開口３ｂ側の部分に嵌合凹部４が設けられているので、ヘッド２の前方への移動時に集束部材１３の前部１３ａが嵌合凹部４に嵌合されて遊動体１０がヘッド２に固定される。そのため、フック１１が水底４０に更に接触しにくくなり、ヘッド２の移動時におけるフック１１の根掛かりを抑制できる。
【００６８】
さらに、ヘッド２の内部におけるライン挿通孔３の長さ方向略中間部に低摩擦パイプ５が設けられているので、ライン２０のライン挿通孔３での滑りをよくすることができる。
【００６９】
図８〜１１は、本考案の第２実施形態に係る釣り用仕掛けのヘッド２を説明する図である。これらの図において、上記第１実施形態の釣り用仕掛け１の要素と同じ作用を奏する要素には、当該要素に付された符号と同じ符号が付されている。また、これらの図では、ヘッド２はその嵌合凹部４に集束部材１３の前部１３ａが嵌合した状態で且つ移動姿勢で図示されている。
【００７０】
以下、本第２実施形態の釣り用仕掛けについて上記第１実施形態の釣り用仕掛け１と相異する点を中心に説明する。
【００７１】
本第２実施形態の釣り用仕掛けでは、ヘッド２は、カニの頭胸甲部を上記第１実施形態のヘッド２よりも詳細に模した形状のものである。
【００７２】
ヘッド２の接地面６及び案内面７には、ヘッド２をカニの頭胸甲部に極力似せるため小さな凹凸が設けられており、案内面７は接地面６から全体として前方斜め上向きに湾曲している（図９Ａ及び９Ｂ参照）。
【００７３】
なお本考案では、ヘッド２の案内面７は全体として前方斜め上向きに湾曲しているものに限定されるものではなく、その他に全体として前方斜め上向きに傾斜しているものであってもよい。
【００７４】
このように、本考案では、ヘッド２の案内面７が前方斜め上向きに傾斜乃至湾曲しているとは、本第２実施形態のヘッド２のように全体として前方斜め上向きに傾斜乃至湾曲していることを含む意味で用いられている。
【００７５】
ヘッド２の高比重部８は、カニの頭胸甲部の下面側に存在する腹部（いわゆる「ふんどし部」）の位置に設けられている。
【００７６】
図１２は、本考案の第３実施形態に係る釣り用仕掛けを説明する図である。同図において、上記第１実施形態の釣り用仕掛け１の要素と同じ作用を奏する要素には、当該要素に付された符号と同じ符号が付されている。
【００７７】
以下、本第３実施形態の釣り用仕掛けについて上記第１実施形態の釣り用仕掛け１と相異する点を中心に説明する。
【００７８】
本第３実施形態の釣り用仕掛けでは、遊動体１０はフック１１と擬似餌としてのワーム１５とを有しており、集束部材（図１参照、符号１３）は有していない。さらに、ライン２０の先端部にはストラップ紐（図１参照、符号２１）が結着されておらず、したがってフック１１はストラップ紐を介さずにライン２０の先端部に結着されている。
【００７９】
このように、本考案では、遊動体１０は必ずしも集束部材を備えていることを要せず、またライン２２の先端部には必ずしもストラップ紐が設けられていることを要しない。
【００８０】
以上で本考案の幾つかの実施形態について説明したが、本考案は上記実施形態に示したものに限定されるものではなく、本考案の要旨を逸脱しない範囲で様々に変更可能である。
【産業上の利用可能性】
【００８１】
本考案は釣り用仕掛けに利用可能である。
【符号の説明】
【００８２】
１：釣り用仕掛け                      ２：ヘッド
３：ライン挿通孔                      ３ａ：ライン挿通孔の前端開口
３ｂ：ライン挿通孔の後端開口          ４：嵌合凹部
５：低摩擦パイプ                      ６：接地面
７：案内面                            ８：高比重部
１０：遊動体                          １１：フック
１２：集魚部材                        １３：集束部材
２０：ライン                          ２１：ストラップ紐
４０：水底                            ４１：段差
【図１】
0003225134.tif 000003
【図２】
0003225134.tif 000004
【図３】
0003225134.tif 000005
【図４】
0003225134.tif 000006
【図５】
0003225134.tif 000007
【図６Ａ】
0003225134.tif 000008
【図６Ｂ】
0003225134.tif 000009
【図７Ａ】
0003225134.tif 000010
【図７Ｂ】
0003225134.tif 000011
【図７Ｃ】
0003225134.tif 000012
【図８】
0003225134.tif 000013
【図９Ａ】
0003225134.tif 000014
【図９Ｂ】
0003225134.tif 000015
【図１０】
0003225134.tif 000016
【図１１】
0003225134.tif 000017
【図１２】
0003225134.tif 000018
【図１３】
0003225134.tif 000019